(57)【要約】【課題】指1本または単３電池1本程度の弱い力で外せる差し込みプラグおよび遠隔操作でコンセントに差し込まれた差し込みプラグを外す離脱装置【解決手段】ポイント２-３にI方向より力を加えだけでパーツ２〜６に力が伝達し、差し込みプラグがコンセントと離れようとするレバー２-７のK方向への力と、反発して本体１がP方向に下がろうとする力を梃子の原理を利用しQ方向へ持ち上げる力にする。これらの動を同時に少ない力で加えることを特徴とするためコンセントに強い負荷かけることなく、差し込みプラグを離脱できる。本体と差し込みプラグが離れて作業する電気掃除機に組み込むことにより差し込みプラグの離脱が遠隔操作で可能となる。【選択図】図５
2010108887.tif 000002
【特許請求の範囲】
【請求項１】
差し込みプラグを梃子の原理でコンセントから外す際に下方向へ反発して本体が図５のP方向に下がろうとする力を梃子の原理を利用しQ方向へ持ち上げ離脱できる差し込みプラグ
【請求項２】
モーターを組み込み併用することによりスイッチで遠隔操作によりコンセントから外せる差し込みプラグ
【請求項３】
請求項２の機能を電気掃除機に組み込むことにより、スイッチを電気掃除機の握り手部分に付け、遠隔操作でコンセントに差し込まれた差し込みプラグを外せる装置
【発明の詳細な説明】
【技術分野】
【０００１】
本発明は、指1本または単３電池1本程度の弱い力で外せる差込プラグおよび遠隔操作でコンセントに差し込まれた差し込みプラグを外せる離脱装置である
【背景技術】
【０００２】
従来、一般家庭で広く用いられている差し込みプラグは図３の１８のようなものである。差し込みプラグを外しやすくするために梃子の原理を利用した図４の２０（特開平０９-０６３６９３・特開平０９-２９３５６３・特開平０９-３２０６８９・特開平１０-１４４３９４）のような差し込みプラグもある。これはいずれも使用者が差し込みプラグに直接力を加えて外すもので、遠隔で差し込みプラグを外すために２１のような内部に組み込まれた押出突起２１-２を電力等の力を用いて突出させ差し込みプラグを押し出す（特開平０６-３１８４８０・特開平１０-０２７６５０・特開２０００-２９４３３９・特開２００２-０７８６５５・特開２００５-２２２９２０）や差し込み片２１-３をバネおよび電力等により本体２１-１内部に引っ込める（特開２００３-１３２９９）ものも考案されている。
【０００３】
【特許文献１】特開平０９-０６３６９３号公報
【特許文献２】特開平０９-２９３５６３号公報
【特許文献３】特開平０９-３２０６８９号公報
【特許文献４】特開平１０-１４４３９４号公報
【特許文献５】特開平０６-３１８４８０号公報
【特許文献６】特開平１０-０２７６５０号公報
【特許文献７】特開２０００-２９４３３９号公報
【特許文献８】特開２００２-０７８６５５号公報
【特許文献９】特開２００５-２２２９２０号公報
【特許文献１０】特開２００３-１３２９９号公報
【発明の開示】
【発明が解決しようとする課題】
【０００４】
図３で説明すると差し込みプラグ１８をコンセント１７から外すにはA方向に垂直に引っ張ると抜けるが斜め左右方向のB１やB２、斜め上下方向のC１やC２のような角度のついた常態では引っ張って抜くことは困難且つ差し込みプラグおよびコンセントを損傷させる危険があった。図４で示すような差し込みプラグ２０はつまみ２０-２にD方向へ力を加えると２０-３を軸にし、レバー２０-４が梃子の原理でE方向へ持ち上がりコンセントから離れようとするものである。その際、本体である２０-1は梃子の力に反発してF方向に行こうとするが使用者が本体２０-1を固定するか、G方向へ持ち上げなければ容易には外れない。また差し込みプラグ２１は２１-１本体の内部にある棒状のような２１-２に電力などの力を加えてH方向へ突出させ押し外すという原理であり、また差し込み片２１-３をバネおよび電力等により２１-１内部に引っ込めるというものも考案されているが、差し込みプラグが直線方向に力を加えるだけでは抜けにくいため差し込みプラグ２０が考案されたことにより差し込みプラグ２1の原理で抜くためにはある程度の動力が加わらないと外れないし、強い力で押し出すことにより受け口や差し込みプラグを損傷させてしまう恐れがあることが推測できる。そのため電源用差し込みプラグを遠隔で離脱させるのは困難であった。
【０００５】
コンセントに差し込みプラグを差し込み使用する、電気機器が離れた場所に移動する電気掃除機のような場合、例えば1Fを掃除し階段を掃除しながら２Fあがるような時、電源コードが伸びる最大距離まで移動するとコンセントまで戻り差し込みプラグを外し、移動先近くのコンセントに差し込み直さなければならなかったが遠隔で差し込みプラグを離脱できることによりこの労力を軽減できる。
【課題を解決するための手段】
【０００６】
図面にて説明すると図５のI方向へ力を加えると２-３が押され３を軸にJ方向に回動しレバー２-７はK方向に持ち上がろうとする。パーツ２がJ方向へ回動すると２-８がレバー６-２をL方向へ押し出し７を軸に回動しながら６-３部分がM方向へスライドし、同時に本体１を押し上げる。５-５は８を軸にN方向に回動し５-６はO方向へ動く。レバー２-７がK方向に持ち上がる事により梃子の原理で差し込みプラグがコンセントから離れようとし、パーツ６により下に働く力を抑える。パーツ５はパーツ６を稼動させる働きおよびO方向へ回動する力でより差し込みプラグが外れやすいようになっている。
【０００７】
掃除機にこの機能を組み込む場合、図５のように１に１０と１１を設置しI方向へ働く力をモーター１２の１２-２で加える。図６で示す通りスイッチ２２をONにすると電池２３を電力として電気が供給される。タイマー基盤２４はモーター１０の力を本体1に加えるパーツ１２-１が１８０°回転すると給電が停止する。これにより電力消費とモーターの劣化を抑える。タイマー基盤２４からモーター用電源ケーブル１５を介して１０のモーターを動かし離脱動作を始める。
【発明の効果】
【０００８】
本発明は、以上説明したように構成されているので、単３電池１本程度の力を加えるだけで遠隔操作により差し込みプラグをコンセントから外す事ができる。この機能を電気掃除機に組み込むことにより差し込みプラグをコンセントの位置までわざわざ戻り外す必要がなくなる。
【発明を実施するための最良の形態】
【０００９】
構造を図面にて説明すると図1の凸１-１と凹２-１をあわせて穴２-２と穴１-２に軸棒３を通す。その際、キックバネ４を溝１-３にはめ込むと本体１に連結されたパーツ２は軸棒３を軸に回動しキックバネ４により元の位置に戻ろうとする。次に穴５-１と穴６-１をあわせて軸棒７を通す。ストッパー５-２はレバー６-２が下方向へ回転しない働きをするためストッパー５-２の上にくるように設置する。凸１-４と凹５-３をあわせて溝１-６にキックバネ９をはめ込み穴５-４と穴１-５に軸棒８を通す。
【００１０】
遠隔で操作する場合はモーター１０とギアボックス１１を本体１にネジ等で連結させる。連結する位置は図５のように１１-２または１１-３が２-３には接触し２-４や２-５には接触しない回転起動線１１-４上を回転する位置にする。図２のようにモーターを動かす電力はモーター用電源ケーブル１５を通し電気掃除機用ケーブル１４とともに結束コード１６にて結束すると電気掃除機本体の巻き込みコード共に収納できる。コンセントから離脱した際に破損しないように軸棒３をケースメス１２の穴１２-１とケースオス１３の穴１３-１に通し、軸棒８をケースメス１２の穴１２-２とケースオス１３の穴１３-２に通す。凹１２-３と凸１３-３はフック式またはネジ穴としケース１２とケース１３を連結し取り付ける。このケースは離脱後、落下の衝撃や手繰り寄せる際の衝撃を考慮しシリコンやゴムのような弾性のある材質が望ましい。
【００１１】
図７のようにコンセントの位置はR１やR２方向、X１やX２方向には家具等の設置物が置かれている場合が多いため本品の形状をA方向に伸ばした。それによりモーター１０も図のように配置されるがY方向へ回転するモーター回転軸１０-１が回転パーツ１１-１をZ方向へ回転させるためにはギアボックスを使用するがこの構造は通常市販されているものなので説明は省略する。
【図面の簡単な説明】
【００１２】
【図１】本発明に係る差し込みプラグの一例を表す分解斜視図である。
【図２】本発明に係る差し込みプラグのケースおよび結束コードを含めた一例を表す分解斜視図である。
【図３】従来のコンセントに差込プラグが差し込まれた状態の斜視図である。
【図４】過去に考案された差し込みプラグの側面図である。
【図５】本発明に係る差し込みプラグの動力伝達方法を表す作用説明図である。
【図６】遠隔操作で離脱可能な差し込みプラグ、巻き込みコード、タイマー基盤、電池、スイッチを内蔵する電気掃除機の位置関係の一例を示す。
【図７】本発明に係る差し込みプラグにモーターを組み込む場合の一例を表す斜視図である。
【符号の説明】
【００１３】
１…本体、１-１…凸、１-２…穴、１-３…溝、１-４…凸、１-５…穴、１-６…溝
２…パーツ、２-１…凹、２-２…穴、２-３…ポイント、２-４…ポイント、２-５…ポイント、２-６…ポイント、２-７…レバー、２-８…ポイント
３…軸棒、３-１…溝
４…キックバネ
５…パーツ、５-１…穴、５-２…ストッパー、５-３…凹、５-４…穴、５-５…ポイント、５-６…ポイント
６…パーツ、６-１…穴、６-２…レバー、６-３…ポイント
７…軸棒
８…軸棒、８-1…溝
９…キックバネ
１０…モーター、１０-1…モーター回転軸
１１…ギアボックス、１１-１…回転パーツ、１１-２…接触ポイント、１１-３…接触ポイント、１１-４…１１-１の回転起動線
１２…ケースメス、１２-１…穴、１２-２…穴、１２-３…凹
１３…ケースオス、１３-１…穴、１３-２…穴、１３-３…凸
１４…電気掃除機用電源ケーブル
１５…モーター用電源ケーブル
１６…結束コード
１７…（一般的な）コンセント
１８…（一般的な）差し込みプラグ
１９…壁
２０…（過去考案された）差し込みプラグ、２０-1…本体、２０-２…つまみ、２０-３…軸、２０-４…レバー
２１…（過去考案された）差し込みプラグ、２１-１…本体、２１-２…押出突起、２１-３…差し込み片
２２…ONスイッチ
２３…電池
２４…タイマー基盤
A〜Zの英字…移動方向または作用の働く方向
【図１】
2010108887.tif 000003
【図２】
2010108887.tif 000004
【図３】
2010108887.tif 000005
【図４】
2010108887.tif 000006
【図５】
2010108887.tif 000007
【図６】
2010108887.tif 000008
【図７】
2010108887.tif 000009